(57)【要約】【課題】スタッフのスキルを効果的に向上させるシステムを提供する。【解決手段】各観察領域における対象者の動きを検出する検出部と、各観察領域で取得した音声の音声信号を送信し、受信した音声信号を出力する通話部と、検出部の出力に基づいて、各観察領域におけるイベントの発生の有無を判定する判定部と、イベントが発生したと判定された場合、検出部の出力に関する情報を送信する管理部と、検出部の出力に関する情報を受信して表示し、イベントを発生させた対象者に関する指示を情報管理者から受け付け、情報管理者の音声を通話部へ送信するとともに受信した音声信号を出力する情報管理者端末と、情報管理者端末によって受け付けられた指示を受信可能なスタッフ端末と、を有する。【選択図】図１
2019197263.tif 000002
【特許請求の範囲】
【請求項１】
複数の観察領域のそれぞれに設けられ、該観察領域における対象者の動きを検出する検出部と、
取得した音声の音声信号を送信するとともに受信した音声信号を出力する通話部と、
前記検出部の出力に基づいて、前記観察領域のそれぞれにおける前記対象者に関する所定のイベントの発生の有無を判定する判定部と、
前記判定部によって前記イベントが発生したと判定された場合、前記検出部の出力に関する情報を送信する管理部と、
前記管理部から前記検出部の出力に関する情報を受信して表示し、前記イベントを発生させた前記対象者に関する指示を情報管理者から受け付け、前記情報管理者の音声の音声信号を送信するとともに受信した音声信号を出力する、情報管理者端末と、
前記対象者への対応を行うスタッフに携帯される携帯端末であって、前記情報管理者端末によって受け付けられた前記指示を受信可能なスタッフ端末と、
を有するシステム。
【請求項２】
前記通話部は、複数の観察領域のそれぞれに設けられ、または前記スタッフ端末に含まれる、請求項１に記載のシステム。
【請求項３】
前記検出部の出力に関する情報には前記観察領域における前記対象者を含む画像が含まれ、前記情報管理者端末は、前記観察領域における前記対象者を含む画像を前記検出部の出力に関する情報として表示する、請求項１または２に記載のシステム。
【請求項４】
前記管理部は、各スタッフのスキルに関するスキル情報をデータベースに保存し、
前記情報管理者端末は、前記検出部の出力に関する情報を受信したときに、さらに前記スキル情報を前記データベースから取得して表示するとともに、前記対象者への対応を行う前記スタッフを前記情報管理者に選択させるための選択画面を表示し、前記情報管理者による選択を前記指示として受け付ける、請求項３に記載のシステム。
【請求項５】
前記情報管理者端末は、表示した前記画像に基づく、前記情報管理者による、前記対象者への対応を行う前記スタッフの対応の質の評価を受け付けて前記管理部へ送信し、
前記管理部は、受信した前記スタッフの対応の質の評価を、当該スタッフの前記スキル情報に関連付けて前記データベースに保存するとともに、前記スタッフの前記スキル情報に反映させる、請求項４に記載のシステム。
【請求項６】
前記情報管理者端末は、表示した前記画像に基づく、前記情報管理者による、前記対象者への対応を行う前記スタッフのスキルアップ目標を受け付けて前記管理部へ送信し、
前記管理部は、受信した前記スタッフのスキルアップ目標を、当該スタッフへの対応の質の評価に関連付けて前記データベースに保存する、請求項５に記載のシステム。
【請求項７】
前記情報管理者端末は、前記選択画面において選択された前記スタッフに対する前記スキル情報を受け付けて前記管理部へ送信し、
前記管理部は、受信した前記スキル情報を前記データベースに保存する、請求項４に記載のシステム。
【請求項８】
前記情報管理者端末は、前記検出部の出力に関する情報を受信したときに、前記スキル情報、前記対応の質の評価、および前記スキルアップ目標の少なくともいずれかを前記データベースから取得して表示する、請求項６に記載のシステム。
【請求項９】
前記検出部は、前記対象者の動きとしてナースコールを検出し、
前記所定のイベントには前記ナースコールが含まれる、請求項１〜８のいずれか一項に記載のシステム。
【請求項１０】
複数の観察領域のそれぞれに設けられた検出部、通話部、情報管理者端末、および対象者への対応を行うスタッフに携帯されるスタッフ端末を有するシステムの制御方法であって、
前記検出部によって、前記観察領域のそれぞれにおける前記対象者の動きを検出するステップ（ａ）と、
前記通話部によって、取得した音声の音声信号を送信するとともに受信した音声信号を出力するステップ（ｂ）と、
前記検出部の出力に基づいて、前記観察領域のそれぞれにおける前記対象者に関する所定のイベントの発生の有無を判定するステップ（ｃ）と、
前記ステップ（ｃ）において前記所定のイベントが発生したと判定された場合、前記検出部の出力に関する情報を前記情報管理者端末へ送信するステップ（ｄ）と、
前記情報管理者端末によって、前記検出部の出力に関する情報を受信して表示し、前記所定のイベントを発生させた前記対象者への対応に関する指示を情報管理者から受け付けるステップ（ｅ）と、
前記ステップ（ｅ）において受け付けられた前記指示を前記スタッフ端末に送信するステップ（ｆ）と、
前記情報管理者端末によって、前記情報管理者の音声の音声信号を前記通話部へ送信するとともに前記通話部から受信した音声信号を出力するステップ（ｇ）と、
を含む制御方法。
【発明の詳細な説明】
【技術分野】
【０００１】
本発明はシステム、およびシステムの制御方法に関する。特に、本発明は、対象者へのケアを行うシステムおよびシステムの制御方法に関する。
【背景技術】
【０００２】
我が国は、戦後の高度経済成長に伴う生活水準の向上、衛生環境の改善、および医療水準の向上等により、長寿命化が顕著となっている。このため、出生率の低下と相まって、高齢化率が高い高齢化社会になっている。このような高齢化社会では、病気、怪我、および加齢などにより、介護を必要とする要介護者等の増加が想定される。
【０００３】
要介護者等は、病院や老人福祉施設などの施設において、歩行中に転倒したり、ベッドから転落して怪我をしたりする虞がある。そのため、要介護者等がこのような状態になったときに看護師や介護士がすぐに駆けつけられるようにするために、要介護者等の状態を検知するためのシステムの開発が進められている。
【０００４】
このようなシステムとして特許文献１に開示されたナースコールシステムにおいては、患者のベッドに対して設置されたカメラの撮像映像から、患者の起床、離床のいずれかの状態になったか否かを判断し、起床、または離床が行われた場合には、ナースステーションに設けられたナースコール親機に、カメラの撮像映像を表示させている。
【先行技術文献】
【特許文献】
【０００５】
【特許文献１】特開２０１４−９０９１３号公報
【発明の概要】
【発明が解決しようとする課題】
【０００６】
しかしながら、ケア実行者であるケアスタッフのスキルには差がある。また、施設に入居するケア対象者はさまざまな状態（要介護度、要支援度）である。一方、ケアコール等のイベント発生時は、すべてのケアスタッフに一律にイベント発生の通知がなされる。このため、イベント発生の通知を見てケア対象者の居室に駆けつけたケアスタッフが当該イベントに関して対応できずに他のケア実行者に対応を依頼したり、対応に着手するも処置を完了できない場合が生じている。その結果、ケアスタッフに不必要な負担をかけるとともに、無力感を与える場合が生じている。一方、特許文献１に開示された先行技術では、このような問題に対応できない。
【０００７】
また、各対象者からの通知には対応の必要なもの、不要なものがあり、また全通知が全スタッフの端末に届く結果、スタッフ個人で見た場合結果として不要な情報が多く、重要な情報を見落とすリスクがある。また、同じ種類の通知であっても、介護を必要としている高齢者の場合、入居者毎に身体機能、認知機能が大きく異なることから、通知された状況も様々となる。その結果、対応（ケア）が必要か不要か、必要の場合であってもどういったケアが必要か、がケース毎に異なる。それらに対し、センサーからの限られた情報だけで的確に判断、対応することは困難である。一方、ケアそのものは一対一の業務であり、何か問題が発生したときに対応した個人に責任が及ぶ可能性が高く、スタッフは常にその重圧にさらされながら多数の通知を受信し対応するため、精神的、肉体的に大きな負担を強いられることになる。
【０００８】
本発明は、このような問題を解決するためになされたものである。すなわち、イベントの内容に応じて適当なケアスタッフに対応させることができるとともに、イベントに対応するケアスタッフに、情報管理者との通話により適切な指示ができるため、ケアスタッフのスキルを効果的に向上させることを可能にした、見守りシステム、および見守りシステムの制御方法を提供することを目的とする。
【課題を解決するための手段】
【０００９】
本発明の上記課題は、以下の手段によって解決される。
【００１０】
（１）複数の観察領域のそれぞれに設けられ、該観察領域における対象者の動きを検出する検出部と、取得した音声の音声信号を送信するとともに受信した音声信号を出力する通話部と、前記検出部の出力に基づいて、前記観察領域のそれぞれにおける前記対象者に関する所定のイベントの発生の有無を判定する判定部と、前記判定部によって前記イベントが発生したと判定された場合、前記検出部の出力に関する情報を送信する管理部と、前記管理部から前記検出部の出力に関する情報を受信して表示し、前記イベントを発生させた前記対象者に関する指示を情報管理者から受け付け、前記情報管理者の音声の音声信号を送信するとともに受信した音声信号を出力する、情報管理者端末と、前記対象者への対応を行うスタッフに携帯される携帯端末であって、前記情報管理者端末によって受け付けられた前記指示を受信可能なスタッフ端末と、を有するシステム。
【００１１】
（２）前記通話部は、複数の観察領域のそれぞれに設けられ、または前記スタッフ端末に含まれる、上記（１）に記載のシステム。
【００１２】
（３）前記検出部の出力に関する情報には前記観察領域における前記対象者を含む画像が含まれ、前記情報管理者端末は、前記観察領域における前記対象者を含む画像を前記検出部の出力に関する情報として表示する、上記（１）または（２）に記載のシステム。
【００１３】
（４）前記管理部は、各スタッフのスキルに関するスキル情報をデータベースに保存し、前記情報管理者端末は、前記検出部の出力に関する情報を受信したときに、さらに前記スキル情報を前記データベースから取得して表示するとともに、前記対象者への対応を行う前記スタッフを前記情報管理者に選択させるための選択画面を表示し、前記情報管理者による選択を前記指示として受け付ける、上記（３）に記載のシステム。
【００１４】
（５）前記情報管理者端末は、表示した前記画像に基づく、前記情報管理者による、前記対象者への対応を行う前記スタッフの対応の質の評価を受け付けて前記管理部へ送信し、前記管理部は、受信した前記スタッフの対応の質の評価を、当該スタッフの前記スキル情報に関連付けて前記データベースに保存するとともに、前記スタッフの前記スキル情報に反映させる、上記（４）に記載のシステム。
【００１５】
（６）前記情報管理者端末は、表示した前記画像に基づく、前記情報管理者による、前記対象者への対応を行う前記スタッフのスキルアップ目標を受け付けて前記管理部へ送信し、前記管理部は、受信した前記スタッフのスキルアップ目標を、当該スタッフへの対応の質の評価に関連付けて前記データベースに保存する、上記（５）に記載のシステム。
【００１６】
（７）前記情報管理者端末は、前記選択画面において選択された前記スタッフに対する前記スキル情報を受け付けて前記管理部へ送信し、前記管理部は、受信した前記スキル情報を前記データベースに保存する、上記（４）に記載のシステム。
【００１７】
（８）前記情報管理者端末は、前記検出部の出力に関する情報を受信したときに、前記スキル情報、前記対応の質の評価、および前記スキルアップ目標の少なくともいずれかを前記データベースから取得して表示する、上記（６）に記載のシステム。
【００１８】
（９）前記検出部は、前記対象者の動きとしてナースコールを検出し、前記所定のイベントにはナースコールが含まれる、上記（１）〜（８）のいずれかに記載のシステム。
【００１９】
（１０）複数の観察領域のそれぞれに設けられた検出部、通話部、情報管理者端末、および対象者への対応を行うスタッフに携帯されるスタッフ端末を有するシステムの制御方法であって、前記検出部によって、前記観察領域のそれぞれにおける前記対象者の動きを検出するステップ（ａ）と、前記通話部によって、取得した音声の音声信号を送信するとともに受信した音声信号を出力するステップ（ｂ）と、前記検出部の出力に基づいて、前記観察領域のそれぞれにおける前記対象者に関する所定のイベントの発生の有無を判定するステップ（ｃ）と、前記ステップ（ｃ）において前記所定のイベントが発生したと判定された場合、前記検出部の出力に関する情報を前記情報管理者端末へ送信するステップ（ｄ）と、前記情報管理者端末によって、前記検出部の出力に関する情報を受信して表示し、前記所定のイベントを発生させた前記対象者への対応に関する指示を情報管理者から受け付けるステップ（ｅ）と、前記ステップ（ｅ）において受け付けられた前記指示を前記スタッフ端末に送信するステップ（ｆ）と、前記情報管理者端末によって、前記情報管理者の音声の音声信号を前記通話部へ送信するとともに前記通話部から受信した音声信号を出力するステップ（ｇ）と、を含む制御方法。
【発明の効果】
【００２０】
ケア対象者の観察領域に設けられた検出部の出力に基づいてイベントの発生が判断されたときに、当該検出部の出力に関する情報を表示して、当該ケア対象者のケアに関する指示を情報管理者から受け付ける情報管理者端末を設け、当該指示において選択されたケアスタッフの端末に当該指示を送信する。そして、当該通話部と情報管理者端末との間で音声信号を送受信することで、情報管理者と、当該観察領域でイベントに対応するケアスタッフとの間の通話を可能にする。これにより、イベントの内容に応じて適当なケアスタッフに対応させることができるとともに、イベントに対応するケアスタッフに、情報管理者との通話により適切な指示ができるため、ケアスタッフのスキルを効果的に向上させることができる。
【図面の簡単な説明】
【００２１】
【図１】見守りシステムの全体構成を示す図である。
【図２】ケア対象者の部屋に設置された検出部の例を示す図である。
【図３】検出部の概略構成を示すブロック図である。
【図４】管理サーバーの概略構成を示すブロック図である。
【図５】イベントリストの例を示す図である。
【図６】情報管理者端末の概略構成を示すブロック図である。
【図７】携帯端末の概略構成を示すブロック図である。
【図８】見守りシステムの動作を示すフローチャートである。
【図９】イベント表示画面の例を示す図である。
【図１０】選択画面の例を示す図である。
【図１１】スキル情報等表示画面の例を示す図である。
【図１２】評価等入力画面の例を示す図である。
【発明を実施するための形態】
【００２２】
以下、添付した図面を参照して、本発明の実施形態を説明する。なお、図面の説明において同一の要素には同一の符号を付し、重複する説明を省略する。また、図面の寸法比率は、説明の都合上誇張されており、実際の比率とは異なる場合がある。
【００２３】
（全体構成）
図１は本実施形態に係る見守りシステムの全体構成を示す図であり、図２はケア対象者の部屋のベッド周辺に設置された検出部の例を示す図である。
【００２４】
図１に示すように、見守りシステム１は、複数の検出部１０、管理サーバー２０、情報管理者端末３０、および１つ以上のケアスタッフ端末（スタッフ端末）４０を備える。これらは、有線や無線によって、ＬＡＮ（Ｌｏｃａｌ  Ａｒｅａ  Ｎｅｔｗｏｒｋ）、電話網またはデータ通信網等のネットワーク５０を介して、相互に通信可能に接続される。ネットワーク５０は、通信信号を中継するリピーター、ブリッジ、ルーターまたはクロスコネクト等の中継機を備えてもよい。図１に示す例では、ケアスタッフ端末４０は、検出部１０、管理サーバー２０、および情報管理者端末３０と、アクセスポイント５１を含む無線ＬＡＮ等（例えばＩＥＥＥ８０２．１１規格に従ったＬＡＮ）のネットワーク５０によって、相互に通信可能に接続されている。
【００２５】
見守りシステム１は、ケア対象者７０（対象者）に応じて適宜な場所に配設される。ケア対象者７０（見守り対象者）は、例えば、病気や怪我等によって看護を必要とする患者、高齢による身体能力の低下等によって介護を必要とする被介護者、または一人暮らしの独居者等である。特に、早期発見および早期対処を可能にする観点から、ケア対象者７０は、例えば異常状態等の所定の不都合な事象がその者に生じた場合に、その発見を必要としている者であり得る。このため、見守りシステム１は、ケア対象者７０の種類に応じて、病院、老人福祉施設および住戸等の建物に好適に配設される。図１に示す例では、見守りシステム１は、複数のケア対象者７０が入居する複数の部屋（居室）やケアステーション（ナースステーションともいう）を含む複数の部屋を備える施設の建物に配置されている。
【００２６】
検出部１０は、ケア対象者７０の観察領域であるそれぞれの居室に配置される。図１に示す例では、４つの検出部１０がケア対象者７０であるＡさん、Ｂさん、ＣさんおよびＤさんの居室にそれぞれ配置されている。検出部１０の観察領域にはベッド６０が含まれている。ケア対象者７０に対して看護または介護等の対応（ケア）を行うケアスタッフ（スタッフ）８０は、それぞれ携帯端末であるケアスタッフ端末４０を持ち歩いている。ただし、見守りシステム１が備える各構成の位置や個数等は、図１に示す例に限定されない。例えば、管理サーバー２０は、ケアステーションに配置されなくてもよく、ネットワーク５０に接続されている外部のサーバーユニットであってもよい。また情報管理者端末３０を省略し、管理サーバー２０またはケアスタッフ端末４０がその機能を担ってもよい。
【００２７】
（検出部１０）
図３は検出部の概略構成を示すブロック図である。同図に示すように、検出部１０は、制御部１１、通信部１２、カメラ１３、ケアコール部１４、および音声入出力部１５を備え、これらはバスによって、相互に接続されている。
【００２８】
制御部１１は、ＣＰＵ（Ｃｅｎｔｒａｌ  Ｐｒｏｃｅｓｓｉｎｇ  Ｕｎｉｔ）、およびＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等のメモリにより構成され、プログラムにしたがって検出部１０の各部の制御および演算処理を行う。なお、制御部１１は、メモリとして、さらにＨＤＤ（Ｈａｒｄ  Ｄｉｓｋ  Ｄｒｉｖｅ）を備えてもよい。
【００２９】
通信部１２は、ネットワーク５０を介して、例えば、管理サーバー２０、情報管理者端末３０またはケアスタッフ端末４０等の、他の装置と通信するためのインターフェース回路（例えばＬＡＮカード等）である。
【００３０】
カメラ１３は、例えば居室の天井、または壁の上部に配置され、観察領域としてケア対象者７０のベッド６０を撮影し、撮影画像（画像データ）を出力する。以下、カメラ１３により撮影された画像を、単に「撮影画像」とも称する。撮影画像にはケア対象者７０を含む画像が含まれる。撮影画像には、静止画および動画を含む。カメラ１３は近赤外線カメラであるが、これに換えて可視光カメラを用いてもよく、これらを併用してもよい。
【００３１】
制御部１１は、カメラ１３が撮影した撮影画像から、ケア対象者７０の行動を認識する。この認識する行動には、ベッド６０から起き上がる「起床」、ベッド６０から離れる「離床」、および床面等に転倒する「転倒」が含まれる。
【００３２】
制御部１１は、複数の撮影画像（動画像）から画像のシルエット（以下、「人シルエット」と称する）を検出する。人シルエットは、例えば、撮影時刻が前後する画像を差分する時間差分により差分が相対的に大きい画素の範囲を抽出することで検出され得る。人シルエットは、撮影画像から背景画像を差分する背景差分法により検出されてもよい。起床、離床、転倒の認識は、検出した人シルエットからケア対象者７０の姿勢（例えば立位、座位および横臥等）、およびベッド６０等の居室内の設置物との相対的な位置から起床、離床および転倒（転落）の別を認識する。これらの認識は、制御部１１のＣＰＵが処理するプログラムにより行ってもよく、組み込み型の処理回路により行うようにしてもよい。また、これに限られず管理サーバー２０側でこれらの認識の全部またはほとんどの処理を行うようにし、制御部１１では管理サーバー２０への撮影画像の送信のみを行うようにしてもよい。制御部１１は、いずれかの行動を認識した場合、その行動が発生した旨の通知を管理サーバー２０等に送信する。
【００３３】
ここで、ケアスタッフ８０の業務が、ケア対象者７０に対する介護業務である場合に、各イベントに関する対応内容について説明する。イベントとして「起床」を判定し、その判定が所定時間内（施設で設定された起床時間（例えば午前７〜８時））であれば、モーニングケアを行う。このモーニングケアには、洗顔、歯磨き介助、義歯装着、着替え介助等が含まれる。また、「離床」のイベントであれば、車椅子移乗、歩行介助が必要となる場合がある。また、検出部１０が判定したイベント以外の定期的（定時）なイベントとして、飲料、および食事介助、排泄介助、車椅子移乗、歩行介助、体位変換（褥瘡予防）がある。これらの定期的イベントは、ケアコール部１４等により、定時になるとアラートを発生させるようにしてもよい。
【００３４】
ケアコール部１４は、押しボタン式のスイッチを含み、スイッチがケア対象者７０によって押されることでケアコール（ナースコール）を検出する。押しボタン式のスイッチに換えて、音声マイクによりケアコールを検出してもよい。ケアコール部１４のスイッチが押された場合、すなわち、ケアコールを検出した場合、制御部１１は、通信部１２およびネットワーク５０を介して、ケアコールがあった旨の通知（ケアコール通知）を管理サーバー２０等に送信する。
【００３５】
音声入出力部１５は、例えばスピーカーとマイクであり、通話部を構成し、通信部１２を介して情報管理者端末３０との間で音声信号を送受信することで音声通話を可能とする。なお、音声入出力部１５は検出部１０の外部装置として、通信部１２を介して検出部１０に接続されてもよい。
【００３６】
また、検出部１０は、ベッド６０に対してマイクロ波を送受信してケア対象者７０の体動（例えば呼吸動）によって生じたマイクロ波のドップラシフトを検出するドップラシフト方式の体動センサーを、さらに備えてもよい。この体動センサーにより、ケア対象者７０の呼吸動作に伴う胸部の体動（胸部の上下動）を検出し、その胸部の体動における周期の乱れや予め設定された閾値以下である前記胸部の体動における振幅を検知すると、微体動異常であると認識する。
【００３７】
本実施形態においては、ケア対象者７０に関する検出部１０が認識した状態の変化であって、起床、離床、転倒、微体動異常、などのケアスタッフ８０に発報（報知）を行うべき事象をイベントと称する。またこのイベントには、ケアコール部１４によるケアコールを含む。すなわち、検出部１０は、観察領域における対象者７０の動きとして、対象者７０によるケアコールを検出してもよい。検出部１０は、生じたイベントの情報および撮影画像を管理サーバー２０へ送信（出力）する。
【００３８】
（管理サーバー２０）
図４は、管理サーバーの概略構成を示すブロック図である。管理サーバー２０は、管理部として機能し、制御部２１、通信部２２、およびデータベース２３を備える。この管理サーバー２０は、ケア対象者７０用の居室と同じ建物内に設けられてもよく、遠隔地に設けられてネットワークを介して接続可能であってもよい。例えば、管理サーバー２０は、インターネット等のネットワーク上に配置された複数のサーバーによって仮想的に構築されるクラウドサーバーであってもよい。各構成は、バスによって、相互に通信可能に接続されている。データベース２３は、記憶部として機能し、イベントリスト、撮影画像、その他ケア対象者７０やケアスタッフ８０に関する各種情報を記憶する。その他の制御部２１、および通信部２２は、検出部１０の各構成と同様の機能を有するため、詳細な説明を省略する。
【００３９】
管理サーバー２０は、単独で、または検出部１０と協働することで判定部として機能し、検出部１０が認識した、起床、離床、転倒、ケアコール等のイベントが、どのケア対象者７０に関するものであるかを判定（識別）する。この判定は、イベントを認識した検出部１０が設置されている部屋番号から、これに対応付けられているケア対象者７０（すなわち、部屋の入居者）を判定する。そして、判定したイベントの種類とケア対象者７０とを関連づけてデータベース２３のイベントリストに追加する。なお、本実施形態では、ケア対象者７０の判定は、ケア対象者７０がＩＣタグを携帯している場合には、このＩＣタグを各部屋に設けたＲＦＩＤリーダーで読み取ることにより、判定してもよい。なお、相部屋等で、１つの部屋に複数のケア対象者７０が存在する場合には、ベッド６０毎に検出部１０を配置することで、ケア対象者７０を判定してもよい。
【００４０】
管理サーバー２０は、イベントの種類およびイベントを発生させたケア対象者７０の情報を含むイベント通知を情報管理者端末３０へ送信する。管理サーバー２０は、さらに撮影画像を情報管理者端末３０へ送信し得る。イベント通知は、検出部１０の出力に関する情報を構成する。検出部１０の出力に関する情報には、撮影画像が含まれ得る。
【００４１】
図５は、イベントリストの例を示す図である。
【００４２】
イベントリストには、発生した各イベントについて、イベント情報、およびタグ付け画像が含まれる。
【００４３】
イベント情報には、イベントＩＤ、部屋番号、ケア対象者、イベントの種類、および発生日時（イベント検出時刻）が含まれる。ケア対象者の欄には、ケア対象者を特定する識別情報として氏名を記載しているが、ケア対象者のＩＤや部屋番号を用いてもよい。タグ付け画像は、イベントに関連付けられた撮影画像であり、例えばイベントが検出された撮影画像である。管理サーバー２０は、消去の指示があるまでタグ付け画像を消去せず保持し得る。
【００４４】
（情報管理者端末３０）
図６は、情報管理者端末の概略構成を示すブロック図である。情報管理者端末３０は、いわゆるＰＣ（Ｐｅｒｓｏｎａｌ  Ｃｏｍｐｕｔｅｒ）であり、制御部３１、通信部３２、表示部３３、入力部３４、および音声入出力部３５を備え、これらはバスにより相互に接続される。制御部３１は、検出部１０の制御部１１と同様の構成として、ＣＰＵ、ＲＡＭ、ＲＯＭ等を備える。
【００４５】
通信部３２は、イーサネット（登録商標）等の規格による有線通信のネットワークインターフェースや、Ｂｌｕｅｔｏｏｔｈ（登録商標）、ＩＥＥＥ８０２．１１等の規格による無線通信のインターフェース等の各種ローカル接続向けのインターフェースであり、ネットワーク５０に接続した各端末との通信を行う。
【００４６】
表示部３３は、例えば液晶ディスプレイであり、イベント通知および撮影画像を含む各種情報を表示する。
【００４７】
入力部３４は、キーボード、テンキー、マウス等を備えており、各種情報の入力を行う。
【００４８】
音声入出力部３５は、例えばスピーカーとマイクを備えたヘッドセットである。音声入出力部３５は、情報管理者９０の音声をマイクで取得（検知）し、取得した音声の音声信号を検出部１０へ送信する。音声入出力部３５は、検出部１０から受信した音声信号をスピーカーにより出力する。
【００４９】
なお、ケアスタッフ８０はインカムを持っている。インカムはＷｉＦｉを通じて情報管理者端末３０と繋がっている。情報管理者端末３０において通話先としてケアスタッフ８０を選択すると、情報管理者９０とケアスタッフ８０は内線の音声通話機能で接続された状態となり、ケアスタッフ８０はインカムで情報管理者９０と会話できるようになる。
【００５０】
本実施形態では、情報管理者端末３０は、情報管理者９０用の端末として用いられ、情報管理者９０に施設内の各種情報を表示し、指示を受け付ける。また、通信部３２を介して検出部１０またはケアスタッフ端末４０との間で音声信号を送受信することでケアスタッフ８０等と情報管理者９０との音声通話を可能にする。ここで、情報管理者９０は、複数のケアスタッフ８０を統括する管理者である。情報管理者９０は１つの施設だけでなく、複数の施設で働くケアスタッフ８０を統括的に管理するようにしてもよい。なお、情報管理者９０は、ケアディレクターとも呼ばれうる。
【００５１】
また、ケアスタッフ８０または技術スタッフ等は、情報管理者端末３０を通じて、検出部１０を各部屋（居室）に取り付けたときに、部屋番号と検出部１０の対応付けをしたり、ベッド６０等の居室内の設置物の位置情報、すなわち、天井のカメラ１３による上方視の輪郭情報の校正、指定を行ったりする。また、入院または入居しているケア対象者７０の名前、ＩＤ番号等の識別情報の各部屋番号への対応付けも行う。
【００５２】
（ケアスタッフ端末４０）
図７は、携帯端末の概略構成を示すブロック図である。ケアスタッフ端末４０は、制御部４１、無線通信部４２、表示部４３、入力部４４、および音声入出力部４５を備え、これらはバスにより相互に接続される。制御部４１は、検出部１０の制御部１１と同様の構成として、ＣＰＵ、ＲＡＭ、ＲＯＭ等を備える。無線通信部４２により、Ｗｉ−Ｆｉ、Ｂｌｕｅｔｏｏｔｈ（登録商標）等の規格を用いた無線通信が可能であり、アクセスポイント５１を経由して、または直接的に各装置と無線通信する。表示部４３、および入力部４４は、タッチパネルであり、液晶等で構成される表示部４３の表示面に、入力部４４としてのタッチセンサーを重畳させたものである。表示部４３、入力部４４によって、ケアスタッフ８０に対して、各種指示が表示される。また、表示部４３、入力部４４によって、イベントリストに含まれる複数のイベントを一覧表示した各種の操作画面を表示したり、操作画面を通じて各種の操作を受け付けたりする。音声入出力部４５は、例えばスピーカーとマイクであり、無線通信部４２を介して他のケアスタッフ端末４０との間でケアスタッフ８０による音声通話を可能にする。音声入出力部４５は、情報管理者端末３０との間で、ケアスタッフ８０および情報管理者９０による音声通話を可能にし得る。ケアスタッフ端末４０は、見守りシステム１のユーザーインターフェースとして機能する機器であり、例えば、タブレット型コンピューター、スマートフォンまたは携帯電話等の、持ち運び可能な通信端末機器によって構成できる。
【００５３】
なお、検出部１０、管理サーバー２０、情報管理者端末３０およびケアスタッフ端末４０は、上記の構成要素以外の構成要素を含んでもよく、あるいは、上記の構成要素のうちの一部を含まなくてもよい。
【００５４】
見守りシステムの動作について説明する。
【００５５】
図８は、見守りシステムの動作を示すフローチャートである。説明を簡単にするために、図８の例においては、イベントがケアコールである場合のフローチャートが示されている。
【００５６】
検出部１０は、撮影画像を撮影して（Ｓ１）、管理サーバー２０へ送信する（Ｓ２）。検出部１０はケアコールを検出したときは（Ｓ３）、ケアコール通知を管理サーバー２０へ送信する（Ｓ４）。
【００５７】
管理サーバー２０は、受信したケアコール通知を受信することでイベントが発生したと判定する（Ｓ５）。すなわち、管理サーバー２０は、ケアコール通知に基づいて、ケアコールのイベントが発生したことと、イベントが発生したケア対象者７０を認識することで、イベントが発生したことを判定する。
【００５８】
管理サーバー２０は、イベントが発生したと判定すると、情報管理者端末３０へ、イベント通知と撮影画像を送信する（Ｓ６）。さらに、管理サーバー２０は、通話機能起動指示を検出部１０へ送信する（Ｓ７）。これにより、検出部１０における音声入出力部１５による通話機能が起動する（Ｓ１８）。
【００５９】
情報管理者端末３０は、管理サーバー２０からイベント通知および撮影画像を受信すると（Ｓ６）、イベント通知および撮影画像をイベント表示画面に表示する（Ｓ８、Ｓ９）。
【００６０】
図９は、イベント表示画面の例を示す図である。
【００６１】
図９のイベント表示画面の例においては、「Ａさんのケアコールがありました。」と表示されることで、イベントの種類として「ケアコール」が、イベントを発生させたケア対象者７０の情報として「Ａさん」が、それぞれ表示されている。イベント表示画面には、イベントを発生させたケア対象者７０であるＡさんの居室の撮影画像があわせて表示されている。
【００６２】
イベント表示画面には、情報管理者９０がケア対象者７０のケア（ケア対象者７０への対応）をケアスタッフ８０に指示するかどうかを選択するためのボタンが表示され得る。情報管理者９０は、撮影画像等に基づいて、ケア対象者７０のケアをケアスタッフ８０に指示すると判断する場合は、「指示する」のボタンを選択し、さらに「ＯＫ」のボタンを選択する。なお、ケアコールについて特にケア対象者７０へのケアが必要ないと情報管理者９０が判断する場合は、「指示しない」のボタンが選択され、さらに「ＯＫ」のボタンが選択され得る。
【００６３】
なお、イベント表示画面には、イベントリスト（図５参照）がさらに表示されてもよい。情報管理者端末３０は、管理サーバー２０のデータベース２３からイベントリストを取得してイベント表示画面にイベントリストを表示し得る。
【００６４】
ケア対象者７０が、介護を必要とする高齢者の場合、ケア対象者７０毎に、身体機能、認知機能が大きく異なる。このような状況であることから、たとえ検出部１０で通知されたイベントの種類が同じであっても、ケアが必要か、必要でないかの判断は、ケア対象者７０の状況を加味して行う必要がある。このような状況下、検出部１０からの限られた情報、すなわちイベントの種類の情報だけで、的確に判断し、対応することは困難であり、実際には必要がないイベントに対しても、ケアスタッフ８０の対応が求められていた。
【００６５】
また、介護を行うケアスタッフ８０も、スキル、経験（業務経験年数）に差があり、転職も多く、ベテランであっても新しい職場、環境に慣れるまでに時間を要する。さらに、当日の業務についてからの経過時間により、体力、気力（マインド）にも変化が生じる。このような状況下、イベントの発生にともなう、一律な通知（対応依頼）に対しては、ケアスタッフ８０自身が、独自の判断で処理していた。このような状況下では、ケアスタッフ８０個人のスキル等の状況により、対応にばらつきや、漏れが生じる虞があった。
【００６６】
本実施形態では、このような状況を鑑み、情報管理者端末３０に、ケア対象者７０の状況が認識できるイベント情報（イベント通知）、および撮影画像を表示することで、情報管理者９０は、適切な判断を行え、ケア対応における対応ばらつきや、漏れが生じることを防止できる。
【００６７】
イベント表示画面において、「指示する」のボタンが選択され、かつ「ＯＫ」のボタンが選択されると、情報管理者端末３０は、ケア対象者７０のケアを行うケアスタッフ８０を情報管理者９０に選択させるための選択画面を表示する（Ｓ１０）。さらに、情報管理者端末３０は、管理サーバー２０に、ケアスタッフ８０のスキル情報、ケアスタッフ８０のケアの質の評価（ケアスタッフ８０の対応の質の評価）、およびケアスタッフ８０のスキルアップ目標（以下、これらをあわせて「スキル情報等」と称する）を要求する（Ｓ１１）。情報管理者端末３０は、管理サーバー２０から、スキル情報等を受信し（Ｓ１２）、スキル情報等をスキル情報等表示画面に表示する（Ｓ１３）。スキル情報等は、選択画面とともに表示される。
【００６８】
なお、情報管理者端末３０は、管理サーバー２０に、ケアスタッフ８０のスキル情報、ケアスタッフ８０のケアの質の評価、およびケアスタッフ８０のスキルアップ目標のいずれかを要求してもよい。その場合、要求した、ケアスタッフ８０のスキル情報、ケアスタッフ８０のケアの質の評価、およびケアスタッフ８０のスキルアップ目標のいずれかを受信してスキル情報等表示画面に表示する。
【００６９】
スキル情報等は、選択画面において、ケア対象者７０のケア（ケア対象者７０への対応）を行うケアスタッフ８０を情報管理者９０が選択する際に、ケア対象者７０のいずれを選択するかを判断するための判断材料となる。
【００７０】
情報管理者端末３０は、選択画面において、情報管理者９０による、ケア対象者７０のケアを行わせるケアスタッフ８０の選択を受け付ける（Ｓ１４）。
【００７１】
図１０は、選択画面の例を示す図である。
【００７２】
選択画面においては、各ケアスタッフ８０を選択するためのボタンが表示され、情報管理者９０がいずれかのボタンを選択し、さらに「ＯＫ」のボタンを選択することで、ケア対象者７０のケアを行うケアスタッフ８０の選択の指示が入力される。
【００７３】
図１１は、スキル情報等表示画面の例を示す図である。
【００７４】
図１１の例においては、ケアスタッフ８０のスキル情報として、技術認定（ランク）が示されている。ここで、技術認定は、ケアマイスター制度におけるグレードであり、ゴールド、シルバー、ブロンズの順でケアのスキルが高いことを示している。なお、ゴールド、シルバー、およびブロンズは、中級〜上級レベルのグレードであり、ゴールドのさらに上位グレードとして指導者レベルのグレードであるプラチナおよびマイスターが設けられている。
【００７５】
ケアの質の評価（評価）として、情報管理者９０によるケアスタッフ８０に対する最新の評価が表示され得る。図１１の例においては、スタッフｅに対する最新（２０１８年４月１３日）の評価として星２つ（星３つが最高評価）が表示されている。スキルアップ目標（目標）として、情報管理者９０により設定された、ケアスタッフ８０の最新の目標が表示され得る。図１１の例においては、スタッフｅに対する最新（２０１８年４月１３日）の目標として、「引き続き移乗」が表示されている。このようなスキル情報等を参照すれば、スタッフｅに対して、適当な場合に、排泄介護等の例えば車椅子への移乗が必要となるケアを担当させることで、ＯＪＴで移乗の教育を継続させることができる。これにより、スタッフｅのケアのスキルを向上させるための教育を効果的に実現できる。
【００７６】
なお、スキル情報等表示画面には、各ケアスタッフ８０の現在の状況があわせて表示され得る。図１１の例においては、スタッフａとスタッフｂがアイドル（ケアの着手が可能な状況）であり、スタッフｂ、スタッフｃ、およびスタッフｅが作業中（ケア着手中の状況）であることが表示されている。
【００７７】
情報管理者端末３０は、選択画面においてケアスタッフ８０の選択を受け付けたときは（Ｓ１４）、選択されたケアスタッフ８０へのケア対象者７０に対するケアの指示を管理サーバー２０へ送信する（Ｓ１５）。管理サーバーは、当該指示を、選択されたケアスタッフ８０のケアスタッフ端末Ａへ送信する（Ｓ１６）。これにより、ケアスタッフ端末Ａにより当該指示が受け付けられて、ケアスタッフ端末Ａにおいて表示されることで、ケアスタッフ端末Ａを携帯するケアスタッフ８０により当該指示が認識される。指示を認識したケアスタッフ８０は、指示に従い、ケア対象者７０の居室に入り、ケアを行う。なお、選択画面において選択されなかったケアスタッフ８０のケアスタッフ端末Ｂにはケアスタッフ８０に対する指示は送信されない。
【００７８】
情報管理者端末３０は、通話機能を起動する（Ｓ１７）。これにより、ステップＳ１８において通話機能が起動されている検出部１０と情報管理者端末３０との間で通話が可能な状態になる。そして、情報管理者端末３０により検知された情報管理者９０の音声の音声信号が検出部１０へ送信されて出力され（Ｓ１９）、ケア対象者７０の居室において、検出部１０により検知されたケアスタッフ８０の音声の音声信号が情報管理者端末３０へ送信されて出力される（Ｓ２０）。これにより、情報管理者９０は、撮像画像を参照しながらケアスタッフ８０と会話することが可能となり、ケアスタッフ８０に対しケアに関する適切な指示を与えることができる。
【００７９】
情報管理者端末３０は、ケアスタッフ８０によるケア対象者７０へのケアが終了した後、ケアを行ったケア対象者７０に対する今回行ったケアの評価および次回行うケアに関する目標（以下、「評価等」と称する）を入力するための評価等入力画面を表示する。そして、情報管理者端末３０は、評価等入力画面において評価等を受け付ける（Ｓ２１）。
【００８０】
図１２は、評価等入力画面の例を示す図である。
【００８１】
評価等入力画面においては、「スタッフａさんの、Ａさんのケアに対する評価等を入力してください。」と表示されることで、情報管理者９０による評価の入力が促されている。評価等入力画面においては、ケアスタッフ８０を評価するためのボタンが表示されている。すなわち、情報管理者９０が３つ星、２つ星、および１つ星のいずれかのボタンを選択することでケアスタッフ８０の評価が可能な複数のボタンが表示されている。情報管理者９０により、いずれかのボタンが選択され、さらに「ＯＫ」のボタンが選択されることで、ケア対象者７０のケアを行ったケアスタッフ８０の評価が入力される。なお、キャンセルボタンを選択することでケアスタッフ８０の評価をしないことも可能である。
【００８２】
入力されたケアスタッフ８０の評価は、当該ケアスタッフ８０のスキル情報に反映される。例えば、３つ星、２つ星、および１つ星の各評価に対応するポイントを設定し、これまでの評価によるポイントの累積値が、スキル情報である技術認定のランクごとに設けられた閾値に達したかどうかにより、ランクを付与するようにし得る。なお、ケアスタッフ８０のスキル情報を入力するための画面を設けて、情報管理者９０がケアスタッフ８０のスキル情報を当該画面に入力することで、データベース２３のスキル情報が直接に設定（更新）されるようにしてもよい。
【００８３】
評価等入力画面においては、ケアスタッフ８０のスキルアップ目標を情報管理者９０が入力するためのボックスが表示されている。情報管理者９０は、当該ボックスにケアスタッフ８０の目標を入力して「ＯＫ」のボタンを選択することにより、ケアスタッフ８０の次回のケアにおける目標を設定し得る。
【００８４】
本実施形態は以下の効果を奏する。
【００８５】
ケア対象者の観察領域に設けられた検出部の出力に基づいてイベントの発生が判断されたときに、当該検出部の出力に関する情報を表示して、当該ケア対象者のケアに関する指示（ケア対象者７０に関する指示）を情報管理者から受け付ける情報管理者端末を設け、当該指示において選択されたケアスタッフの端末に当該指示を送信する。そして、当該通話部と情報管理者端末との間で音声信号を送受信することで、情報管理者と、当該観察領域でイベントに対応するケアスタッフとの間の通話を可能にする。これにより、イベントの内容に応じて適当なケアスタッフに対応させることができるとともに、イベントに対応するケアスタッフに、情報管理者との通話により適切な指示ができるため、ケアスタッフのスキルを効果的に向上させることができる。
【００８６】
さらに、当該検出部の出力に関する情報に当該観察領域におけるケア対象者を含む画像が含ませ、情報管理者端末に、当該画像を当該検出部の出力に関する情報として表示する。これにより、情報管理者は、ケア対象者のケアを行うケアスタッフのケアの様子を画像で確認しながら指示ができるため、ケアスタッフに対する指示をより適切なものとすることができる。
【００８７】
さらに、各ケアスタッフのスキル情報をデータベースに保存し、情報管理者端末は、検出部の出力に関する情報を受信したときに、スキル情報をデータベースから取得して表示するとともに、ケアを行うケアスタッフを情報管理者に選択させるための選択画面を表示する。そして、選択画面で情報管理者による選択を受け付ける。これにより、情報管理者は、スキル情報を参考にして適切かつ容易にケアを担当させるケアスタッフを選択できる。
【００８８】
さらに、情報管理者端末は、表示した画像に基づく、情報管理者による、ケア対象者のケアを行うケアスタッフのケアの質の評価を受け付け、スキル情報に関連付けてデータベースに保存させるとともに、ケアスタッフのスキル情報に反映させる。これにより、容易かつ正確にケアスタッフのスキル情報を設定できる。
【００８９】
さらに、情報管理者端末は、表示した画像に基づく、情報管理者による、ケア対象者のケアを行うケアスタッフのスキルアップ目標を受け付け、ケアスタッフのケアの質の評価に関連付けてデータベースに保存させる。これにより、次回のケアにおけるケアスタッフの目標を適切に設定できるとともに、計画的にケアスタッフのスキルアップを実現できる。
【００９０】
さらに、情報管理者端末は、選択画面において選択されたケアスタッフに対するスキル情報を受け付け、データベースに保存する。これにより、ケアスタッフにケアに関する指示を与える情報管理者によりケアスタッフのスキルを正確かつ適切に認定させることができる。
【００９１】
さらに、情報管理者端末は、検出部の出力に関する情報を受信したときに、スキル情報、ケアの質の評価、およびスキルアップ目標の少なくともいずれかをデータベースから取得して表示する。これにより、イベントの発生時に、ケアを担当させるケアスタッフを情報管理者が選択する際に必要な判断材料を提供できる。
【００９２】
さらに、ナースコールを所定のイベントとして検出する。これにより、ナースコールに対応するケアスタッフに、情報管理者との通話により適切な指示ができるため、ケアスタッフのスキルを効果的に向上させることができる。
【００９３】
以上に説明した見守りシステムの構成は、上述の実施形態の特徴を説明するにあたって主要構成を説明したのであって、上述の構成に限られず、特許請求の範囲内において、種々改変することができる。また、一般的な見守りシステムが備える構成を排除するものではない。
【００９４】
例えば、本実施形態では、見守りシステム１の管理サーバー２０が判定部として機能し、管理サーバー２０にデータベース２３を備えていたが、管理サーバー２０、データベースを省略し、情報管理者端末３０、または、いずれかの検出部１０が、判定部として機能し、またはデータベースを備えてもよい。
【００９５】
また、上述した実施形態では、検出部１０、管理サーバー２０、情報管理者端末３０およびケアスタッフ端末４０をそれぞれ一つの装置として説明した。しかし、本実施形態はこれに限定されない。例えば、各構成について、各種の判断処理を実行する情報処理装置と、その他の処理を実行する装置とが、別々に構成されてもよい。この場合、情報処理装置とその他の処理を実行する装置とは、有線または無線を介して接続される。
【００９６】
また、上述した実施形態に係る見守りシステム１における処理は、上記のフローチャートのステップ以外のステップを含んでもよく、あるいは、上述したステップのうちの一部を含まなくてもよい。また、ステップの順序は、上述した実施形態に限定されない。さらに、各ステップは、他のステップと組み合わされて一つのステップとして実行されてもよく、他のステップに含まれて実行されてもよく、複数のステップに分割されて実行されてもよい。
【００９７】
また、データベース２３に、ケア対象者７０の状況（年齢、身体機能、認知機能の指標）や、ケアスタッフ８０の経験値（業務経験年数、職場経験年数）、当番経過時間（当直業務についてからの時間）、を記憶させ、これを情報管理者端末３０に、イベント通知とともに表示するようにしてもよい。これにより情報管理者９０は、より適切にイベントに対する対応を判断し、適正にケアスタッフ８０に指示できる。
【００９８】
また、上述した実施形態に係る見守りシステム１における各種処理を行う手段および方法は、専用のハードウエア回路、またはプログラムされたコンピューターのいずれによっても実現することが可能である。上記プログラムは、例えば、ＵＳＢメモリやＤＶＤ（Ｄｉｇｉｔａｌ  Ｖｅｒｓａｔｉｌｅ  Ｄｉｓｃ）−ＲＯＭ等のコンピューター読み取り可能な記録媒体によって提供されてもよいし、インターネット等のネットワークを介してオンラインで提供されてもよい。この場合、コンピューター読み取り可能な記録媒体に記録されたプログラムは、通常、ハードディスク等の記憶部に転送され記憶される。また、上記プログラムは、単独のアプリケーションソフトとして提供されてもよいし、一機能としてその検出部等の装置のソフトウエアに組み込まれてもよい。
【符号の説明】
【００９９】
１  見守りシステム、
１０  検出部、
１１  制御部、
１２  通信部、
１３  カメラ、
１４  ケアコール部、
１５  音声入出力部、
２０  管理サーバー、
２１  制御部、
２２  通信部、
２３  データベース、
３０  情報管理者端末、
３１  制御部、
３２  通信部、
３３  表示部、
３４  入力部、
３５  音声入出力部、
４０  ケアスタッフ端末、
４１  制御部、
４２  無線通信部、
４３  表示部、
４４  入力部、
４５  音声入出力部、
５０  ネットワーク、
５１  アクセスポイント、
６０  ベッド、
７０  ケア対象者、
８０  ケアスタッフ、
９０  情報管理者。
【図１】
2019197263.tif 000003
【図２】
2019197263.tif 000004
【図３】
2019197263.tif 000005
【図４】
2019197263.tif 000006
【図５】
2019197263.tif 000007
【図６】
2019197263.tif 000008
【図７】
2019197263.tif 000009
【図８】
2019197263.tif 000010
【図９】
2019197263.tif 000011
【図１０】
2019197263.tif 000012
【図１１】
2019197263.tif 000013
【図１２】
2019197263.tif 000014